(57)【要約】  マルチディスプレイシステム（例えば複数の表示パネルを含んだディスプレイ）は、観察者に対して三次元（３Ｄ）特徴を表示するために実質的に互いに平行に配置された、少なくとも第１及び第２ディスプレイ（例えば表示パネル又は表示レイヤ）を含む。第１及び第２ディスプレイは、モアレ干渉を低減するために、ディスプレイ装置の観察者の視点から見た時に、異なる色フィルタパターンをそれぞれ有する。【選択図】図１６
2019502962.tif 000002
【特許請求の範囲】
【請求項１】
第１画像を表示するための、第１平面内にある第１ディスプレイと、
第２画像を表示するための、第２平面内にある第２ディスプレイと、
を備えるディスプレイ装置であって、
前記第１及び第２平面は互いにほぼ平行であり、
前記第１及び第２ディスプレイは、モアレ干渉を低減するために、前記ディスプレイ装置の観察者の視点から見た時に、異なる色フィルタパターンをそれぞれ有する、
ディスプレイ装置。
【請求項２】
前記第１ディスプレイにおける緑の色フィルタは第１方向のラインに配向され、前記第２ディスプレイにおける緑の色フィルタは第２方向のラインに配向され、前記第１及び第２の緑の色の方向は互いに異なる、請求項１に記載のディスプレイ装置。
【請求項３】
前記第１ディスプレイにおける赤の色フィルタは第１方向のラインに配向され、前記第２ディスプレイにおける赤の色フィルタは第２方向のラインに配向され、前記第１及び第２の赤の色の方向は互いに異なる、いずれかの先行する請求項に記載のディスプレイ装置。
【請求項４】
前記第１ディスプレイにおける青の色フィルタは第１方向のラインに配向され、前記第２ディスプレイにおける青の色フィルタは第２方向のラインに配向され、前記第１及び第２の青の色の方向は互いに異なる、いずれかの先行する請求項に記載のディスプレイ装置。
【請求項５】
前記第１及び第２の青の色の方向は、およそ３０−９０度だけ互いから傾けられている、請求項４に記載のディスプレイ装置。
【請求項６】
前記第１及び第２の赤の色の方向は、およそ３０−９０度だけ互いから傾けられている、いずれかの先行する請求項に記載のディスプレイ装置。
【請求項７】
前記第１及び第２の緑の色の方向は、およそ３０−９０度だけ互いから傾けられている、いずれかの先行する請求項に記載のディスプレイ装置。
【請求項８】
前記第１ディスプレイにおいて、赤、緑、及び青の色フィルタのうちの少なくとも１つが斜め方向において色付けされたラインを形成し、前記第２ディスプレイにおいて、赤、緑、及び青の色フィルタは斜め方向ではなく垂直又は水平方向においてそれぞれ赤、緑、及び青のラインを形成する、いずれかの先行する請求項に記載のディスプレイ装置。
【請求項９】
前記第１ディスプレイにおいて、赤、緑、及び青の色フィルタは斜め方向においてそれぞれ赤、緑、及び青のラインを形成し、前記第２ディスプレイにおいて、赤、緑、及び青の色フィルタは斜め方向ではなく垂直又は水平方向においてそれぞれ赤、緑、及び青のラインを形成する、いずれかの先行する請求項に記載のディスプレイ装置。
【請求項１０】
前記第１及び第２ディスプレイの少なくとも一方における色フィルタはディザされている、いずれかの先行する請求項に記載のディスプレイ装置。
【請求項１１】
前記第１及び第２ディスプレイの各々は、複数の異なるディザされたパターンに配列された色フィルタを備える、いずれかの先行する請求項に記載のディスプレイ装置。
【請求項１２】
前記第１及び第２ディスプレイは液晶ディスプレイを備える、いずれかの先行する請求項に記載のディスプレイ装置。
【請求項１３】
前記第１及び第２ディスプレイはＯＬＥＤを備え、前記色フィルタは色付けされた材料を備える、いずれかの先行する請求項に記載のディスプレイ装置。
【請求項１４】
前記第１ディスプレイは前面ディスプレイを備える、いずれかの先行する請求項に記載のディスプレイ装置。
【請求項１５】
前記第１ディスプレイは背面ディスプレイを備える、いずれかの先行する請求項に記載のディスプレイ装置。
【請求項１６】
反射を低減及び／又は防止するためにブラックマトリクスが前記ディスプレイの少なくとも一方における金属パターンの背後に提供されている、いずれかの先行する請求項に記載のディスプレイ装置。
【請求項１７】
前記第１及び第２ディスプレイは、各々が液晶層を備える液晶ディスプレイであり、
前記第１液晶ディスプレイは、液晶層と、色フィルタを備えた色フィルタ層とを備え、前記第２液晶ディスプレイは、液晶層と、色フィルタを備えた色フィルタ層とを備え、
前記第１及び第２液晶ディスプレイの前記色フィルタ層は、前記ディスプレイ装置における前記第１及び第２液晶ディスプレイの前記色フィルタ層の間に液晶層が配置されないように、互いに向かい合っている、
請求項１−１２又は１４−１６のいずれかに記載のディスプレイ装置。
【請求項１８】
第１画像を表示するための第１液晶ディスプレイと、
第２画像を表示するための第２液晶ディスプレイと、
を備えるディスプレイ装置であって、
前記第１及び第２液晶ディスプレイは前記ディスプレイ装置において互いにほぼ平行であり、
前記第１液晶ディスプレイは、液晶層と、色フィルタを備えた色フィルタ層とを備え、前記第２液晶ディスプレイは、液晶層と、色フィルタを備えた色フィルタ層とを備え、
前記第１及び第２液晶ディスプレイの前記色フィルタ層は、前記ディスプレイ装置における前記第１及び第２液晶ディスプレイの前記色フィルタ層の間に液晶層が配置されないように、互いに向かい合っており、
前記第１及び第２液晶ディスプレイは、モアレ干渉を低減するために、前記ディスプレイ装置の観察者の視点から見た時に、異なる色フィルタパターンをそれぞれ有する、
ディスプレイ装置。
【請求項１９】
ディスプレイ装置を介して画像を表示するための方法であって、
第１平面内に第１ディスプレイを提供し、第１画像を表示するステップと、
第２平面内に第２ディスプレイを提供し、第２画像を表示するステップと、
を含み、
前記第１及び第２平面は互いにほぼ平行であり、
前記第１及び第２ディスプレイは、モアレ干渉を低減するために、前記ディスプレイ装置の観察者の視点から見た時に、異なるピクセルパターンをそれぞれ有する、
方法。
【請求項２０】
前記第１ディスプレイは前面ディスプレイを備える、請求項１９に記載の方法。
【請求項２１】
前記第１ディスプレイは背面ディスプレイを備える、請求項１９−２０に記載の方法。
【請求項２２】
反射を低減及び／又は防止するためにブラックマトリクスが前記ディスプレイの少なくとも一方における金属パターンの背後に提供されている、請求項１９−２１に記載の方法。
【請求項２３】
前記ブラックマトリクスは実質的に非反射性の材料から構成され、不透明である、請求項２２に記載の方法。
【発明の詳細な説明】
【技術分野】
【０００１】
[001]  この出願は、先行する次の米国仮特許出願、２０１６年７月１８日に提出された第６２／３６３，４１９（整理番号６４６８−１８）、２０１６年１月２０日に提出された第６２／２８１，０５１（整理番号６４６８−１４）、２０１５年１０月２日に提出された第６２／２３６，７８３（整理番号６４６８−７）、及び２０１５年１０月８日に提出された第６２／２３９，１５０（整理番号６４６８−１５）の各々に関連するとともに、それらに対する優先権を主張し、これによってそれらの全てが参照によりそのまま本明細書に組み込まれる。
【０００２】
[002]  この発明は、観察者に対して三次元（３Ｄ）特徴を表示するために少なくとも第１及び第２ディスプレイ（例えば、表示パネル又は表示レイヤ）が実質的に互いに平行に配置された、マルチディスプレイシステム（例えば、複数の表示パネルを含むディスプレイ）に関する。したがって、この発明は、概してディスプレイに関し、より具体的には、三次元特徴を表示するためのディスプレイシステム及び方法に関する。
【背景技術】
【０００３】
[003]  従来、ディスプレイは情報を二次元に提示する。そのようなディスプレイによって表示された画像は、深度情報を欠いた平面画像である。人々は世界を三次元で観察するので、物体を三次元で表示することができるディスプレイを提供する努力が行われてきた。例えば、ステレオディスプレイは、左目及び右目に対して別々に表示されるオフセット画像を表示することによって、深度情報を伝える。観察者がこれらの平面画像を見る時、それらは脳の中で結合されて、深度の知覚を与える。しかしながら、そのようなシステムは複雑であり、表示された物体のリアルな知覚を提供するためには、増大した解像度とプロセッサの計算パワーを必要とする。
【０００４】
[004]  積層配置された複数の表示画面を含むマルチコンポーネントディスプレイが、リアルな深度を表示するために開発されている。各表示画面は独自の画像を表示して、表示画面の物理的変位による視覚的な深度を提供することができる。例えば、マルチディスプレイシステムは米国特許公開番号２０１５／０３２３８０５及び２０１６／００１２６３０に開示されており、それらの開示の両方が参照により本明細書に組み込まれる。
【０００５】
[005]  マルチディスプレイシステムにおいて第１及び第２のディスプレイ又は表示レイヤが従来方法で互いに積層されると、モアレ干渉が発生する。モアレ干渉は、観察者の網膜上に投射された時に、レイヤ内の色フィルタ間における相互作用によって引き起こされる。例えば、緑の色フィルタが重なり合うと、光は透過して相対的に明るい区画を生じさせる。緑のフィルタが赤のフィルタの上にあると、あまり多くない光が透過して暗い領域を生じさせるだろう。背面及び前面のディスプレイ又は表示レイヤは網膜上に投射された時に僅かに異なるサイズを有するので、ピクセルは同位相から逆位相へゆっくりと変化するだろう。このことは、別名モアレ干渉として知られる明暗の帯を生み出す効果を有する。
【０００６】
[006]  マルチレイヤディスプレイ（ＭＬＤ）システムにおけるモアレ干渉を除去することに対するいくつかのアプローチが存在している。いくつかのアプローチは、空間フィルタリングによって不要な周波数成分を除去することに依拠する。これは、およそ１．５の屈折率を持つ素子がランダムな表面摂動を有する拡散板型システムか、又は回折型システムを用いて達成されることが可能である。視覚的な美観の点におけるこれらのシステムの性能（例えば、画像がどのくらいぼやけて見えるか、除去できないモアレがどのくらい残されているか、偏光に対する影響、及びコスト等）は、一般にシステムの構成に依存する。あるＭＬＤシステムは、単に最背面の表示レイヤをぼやけさせるための拡散光学系を利用する。このアプローチは、以下の制限に悩まされる：（ａ）最背面の画像は本来的にぼやけている――モアレ干渉の低減と最背面画像表示レイヤの明瞭さの間にはトレードオフが存在する；（ｂ）拡散素子は特別な拡散パターンを利用し、これは得るのが困難である；（ｃ）拡散素子は偏光子の間に配置され、フィルム基板と補強基板の両方が複屈折なしでなければならない；及び（ｄ）拡散素子は別個の補強部品（通常はガラス）を必要とし、これは最終的なディスプレイシステムに重量と費用を加算する。結果として、モアレ問題に対処するために拡散板だけを使用するＭＬＤシステムは、減少した形状因子を有するので特に、モアレ干渉の低減に対する理想的な解決策を提供しない。
【０００７】
[007]  モアレ干渉に対処するために拡散板にのみ依拠する歴史的な及び現在の方法論は、画像品質に著しい且つ有害な副作用を導入することなくモアレ問題に対して満足のいく解決策を提供しない。
【発明の概要】
【０００８】
[008]  本発明のある例示的な実施態様は、ＭＬＤシステムにおけるモアレ干渉を消失させる又は実質的に消失させる解決策を提供するが、背面ディスプレイの解像度及びコントラストを大きく犠牲にすることがない。この発明のある例示的な実施態様において、ＭＬＤシステムは第１及び第２ディスプレイを含む。第１ディスプレイの色フィルタは、モアレ干渉を低減又は除去するために、第２ディスプレイの色フィルタと比較してオフセットされ、及び／又は異なって配列される。この発明のある実施態様において、第１ディスプレイの色フィルタは、モアレ干渉を低減又は除去するために、第２ディスプレイの色フィルタと比較して似ていない態様に配列される。ＭＬＤシステムの異なるディスプレイにおける、この発明による似ていない色フィルタ配列は、この発明の様々な実施態様による他のモアレ低減手法（例えば拡散板及び／又は屈折性素子）と組み合わせて用いられてもよいし、用いられなくてもよい。
【０００９】
[009]  この発明のある例示的な実施態様において、第１画像を表示するための、第１平面内にある第１ディスプレイと、第２画像を表示するための、第２平面内にある第２ディスプレイと、を備えるディスプレイ装置であって、前記第１及び第２平面は互いにほぼ平行であり、前記第１及び第２ディスプレイは、モアレ干渉を低減するために、前記ディスプレイ装置の観察者の視点から見た時に、異なる色フィルタパターンをそれぞれ有する、ディスプレイ装置が提供される。
【図面の簡単な説明】
【００１０】
[0010]  この特許又は出願書類は、カラーで作成された少なくとも１つの図面を含む。この特許又は特許出願公開のカラー図面付きのコピーは、請求及び必要な手数料の支払いがあった時に庁によって提供されるだろう。
【００１１】
[0011]  これらの及び他の特徴並びに利点は、図面と共に例示的な実施態様の以下の詳細な説明を参照することによって、より一層且つより完全に理解されることができる。
【００１２】
【図１】[0012]  図１は、ピクセルが各列において同一色である液晶ディスプレイ（ＬＣＤ）の色フィルタの平面図である。
【図２】[0013]  図２は、ピクセルが各列において同一色である別の液晶ディスプレイ（ＬＣＤ）の色フィルタの平面図である。
【図３】[0014]  図３は、図１及び２のＬＣＤの組み合わせから得られるＭＬＤシステムの平面図であり、図１及び２のＬＣＤは積層された関係で互いと重ね合わされ、モアレ干渉をもたらす。
【図４Ａ】[0015]  図４Ａは、色マスク回転パターンに配列された色フィルタを含むＬＣＤを示す、拡大部分を含んだ平面図である。
【図４Ｂ】[0016]  図４Ｂは、図４ＡのＬＣＤの色フィルタパターンを示す模式図である。
【図５】[0017]  図５は、ピクセルが各列において同一色であるＬＣＤの色フィルタの平面図である。
【図６】[0018]  図６は、この発明の例示的な実施態様によるモアレ干渉を低減又は実質的に除去するために、互いの上に積層された図４及び５のＬＣＤを含むＭＬＤシステムの平面図である。
【図７】[0019]  図７は、この発明の例示的な実施態様によるモアレ干渉を低減又は実質的に除去するために、ＭＬＤシステムの前面及び背面ＬＣＤ上の似ていない色フィルタ／ピクセルパターンをそれぞれ示す（図７の左側はディスプレイの一方の色フィルタ／ピクセルパターンを示し、図７の右側はＭＬＤシステムのディスプレイの他方の色フィルタ／ピクセルパターンを示す）。
【図８】[0020]  図８Ａ−８Ｂは、この発明の他の例示的な実施態様によるモアレ干渉を低減又は実質的に除去するために、ＭＬＤシステムの前面及び背面ＬＣＤ上の似ていない色フィルタ／ピクセルパターンを示す（図８Ａ−８Ｂにおける４つの色フィルタ／ピクセルパターンのいずれもが、この発明の異なる実施態様において図８Ａ−８Ｂにおける他の色フィルタ／ピクセルパターンのいずれかと組み合わせて用いられることができる）。
【図９】[0021]  図９は、色フィルタがこの発明の例示的な実施態様に従って１：１ステップ配置でディザされることができる色フィルタ／ピクセルパターンの上面図である。
【図１０】[0022]  図１０は、色フィルタがこの発明の例示的な実施態様に従って２：１ステップ配置でディザされることができる色フィルタ／ピクセルパターンの上面図である。
【図１１】[0023]  図１１は、色フィルタがこの発明の例示的な実施態様に従って１：２ステップ配置でディザされることができる色フィルタ／ピクセルパターンの上面図である。
【図１２】[0024]  図１２は、色フィルタがこの発明の例示的な実施態様に従って１：３ステップ配置でディザされることができる色フィルタ／ピクセルパターンの上面図である。
【図１３】[0025]  図１３は、この発明の例示的な実施態様に従って第１及び第２ディスプレイが互いに対してどのように配置されることができるかを示す模式図である（これは図４−１２又は１４−１５に示される実施態様と共に用いられてもよいし、用いられなくてもよい）。
【図１４】[0026]  図１４は、この発明の別の例示的な実施態様による、互いに異なる前面及び背面ディスプレイの色フィルタ／ピクセルパターンの上面図である（前面ディスプレイのパターンが図１４の左側、背面ディスプレイのパターンが図１４の右側）。
【図１５】[0027]  図１５は、この発明の別の例示的な実施態様による、互いに異なる前面及び背面ディスプレイの色フィルタ／ピクセルパターンの上面図である（前面ディスプレイのパターンが図１５の左側、背面ディスプレイのパターンが図１５の右側）。
【図１６】[0028]  図１６は、図４−１５のいずれかの実施態様と共に用いられることができる、この発明の例示的な実施態様によるＭＬＤの模式的な側断面図である。
【発明を実施するための形態】
【００１３】
[0029]  この発明は、観察者に対して三次元（３Ｄ）特徴を表示するために少なくとも第１及び第２ディスプレイ（例えば、表示パネル又は表示レイヤ）が実質的に互いに平行に配置された、マルチディスプレイシステム（例えば、複数の表示パネルを含むディスプレイ）に関する。ディスプレイは、様々な実施態様において、フラット又は湾曲形状であってよい。したがって、この発明の実施態様は、概してディスプレイに関し、より具体的には、三次元特徴を表示するためのディスプレイシステム及び方法に関する。この発明の例示的な実施態様によるＭＬＤは、例えば、３Ｄ画像を（例えばスピードメータ、乗物の計器類、乗物のナビゲーションディスプレイ等に）提供するために乗物の計器盤におけるディスプレイとして使用されることができる。
【００１４】
[0030]  色モアレ干渉の問題は、ＲＧＢピクセルがＲＧＢ列に並んでいる両方のＬＣＤ色フィルタアレイのパターン規則性によって引き起こされる。色モアレ干渉は、水平方向において広く認められる。
【００１５】
[0032]  本発明のある例示的な実施態様は、ＭＬＤシステムにおけるモアレ干渉を消失させる又は実質的に消失させる解決策を提供するが、背面ディスプレイの解像度及びコントラストを大きく犠牲にすることがない。この発明のある例示的な実施態様において、ＭＬＤシステムは、互いに平行又は実質的に平行な異なるそれぞれの平面上に配置されるように積層された関係で提供される、少なくとも第１及び第２ディスプレイを含む。第１ディスプレイの色フィルタは、モアレ干渉を低減又は除去するために、第２ディスプレイの色フィルタと比較してオフセットされ、及び／又は異なって配列される。この発明のある実施態様において、第１ディスプレイの色フィルタは、モアレ干渉を低減又は除去するために、第２ディスプレイの色フィルタと比較して似ていない態様に配列される。ＭＬＤにおけるモアレ干渉を低減又は除去するために、一方のディスプレイ上に、ＭＬＤの他方のディスプレイと比較して似ていないピクセルパターンを作成することが可能である。例えば、一方のディスプレイ上のピクセル構造のサイズ及び／又は配置を他方のディスプレイに対して変化させることで、モアレ干渉のピッチを、それが実質的に見えなくなる程度に大きく又は小さくすることが可能である。モノクロディスプレイが後方画面として利用されることが可能である場合、一方のディスプレイ上においておよそ４５度に（及び他方のディスプレイ上において水平又は垂直に）配向された細いトレースラインを有することで、干渉が顕著に又は完全に除去される。このように、本開示の実施態様によれば、色フィルタリング／エリアディザリング又は他の色フィルタ／エリア非類似性を通じて多層ディスプレイにおけるモアレ干渉の除去及び／又は低減を提供する、システム並びに方法が説明される。
【００１６】
[0033]  換言すると、上から又はＭＬＤシステムの観察者の視点から見た時に、第１及び第２ディスプレイの重なり合うピクセル／色フィルタパターンは、モアレ干渉を低減又は除去するために異なっている。ＭＬＤシステムの異なるディスプレイにおける、この発明による似ていない色フィルタ配列は、この発明の様々な実施態様による他のモアレ低減手法（例えば拡散板及び／又は屈折性素子）と組み合わせて用いられてもよいし、用いられなくてもよい。
【００１７】
[0034]  この発明の例示的な実施態様において、色フィルタアレイのカスタマイズによってこのモアレ効果を除去する可能性がある。図１−６は、離れて見た時に全ピクセルが無地の白である、２つのＬＣＤパネルの混合を表すＭＡＴＬＡＢによるシミュレーションを示している。
【００１８】
[0035]  図１−３は、モアレ干渉を経験するＭＬＤシステムにおける構成を示す。
【００１９】
[0036]  図１は、ピクセルが各列において同一色である第１液晶ディスプレイ（ＬＣＤ）の色フィルタ／ピクセルの平面図である。特に、図１は、ピクセルが各列において同一色である従来の赤―緑―青（Ｒ―Ｇ―Ｂ）繰り返しパターン又は配列を有するＬＣＤを示す。図１の左側から始めて、色フィルタのストライプがＢＧＲの順の垂直ラインに配列され、この順番が図１を横切って左から右へ向けて何度も繰り返している。このように、図１のディスプレイ又は表示レイヤにおけるパターンは、青の列、緑の列、及び赤の列を含む。緑（Ｇ）の列は、青（Ｂ）と赤（Ｒ）で色付けられた列の間に配置されている。図１は、色マスクの回転なしで示されている。従来、多層ディスプレイ（ＭＬＤ）の両方のパネルは、同様にこのようなＲ―Ｇ―Ｂ配列によって構成され得る。繰り返しパターンは、Ｒ―Ｇ―Ｂ、Ｒ―Ｂ―Ｇ、又は任意の他の組み合わせであってよい。
【００２０】
[0037]  同様に、図２は、ピクセルがやはり各列において同一色である第２ＬＣＤの色フィルタ／ピクセルの平面図である。図２の左側から始めて、色フィルタのストライプがＲＧＢの順の垂直ラインに配列され、この順番が図２を横切って左から右へ向けて何度も繰り返している。繰り返しパターンは、Ｒ―Ｇ―Ｂ、Ｒ―Ｂ―Ｇ、又はこれらの色を伴う任意の他の組み合わせであってよい。図２に示されるように、図１と同様に、緑（Ｇ）の列は、青（Ｂ）と赤（Ｒ）で色付けられた列の間に配置されている。図３は、一方が他方の上に積層された関係にある、図１及び２のＬＣＤの組み合わせから得られるＭＬＤシステムの平面図である。
【００２１】
[0038]  図３は、図１及び２に示されたパターンの混合を示す。特に、図３は、ピクセルが各列において同一色である両方のＬＣＤが同様のＲ―Ｇ―Ｂ列の配列を有する実例を与えられた、モアレ干渉の出現を示す。例えば、ＭＬＤシステムにおいて図２のパターンが図１のパターンと重なると、緑色フィルタのラインが重なり（例えば図３の左部分を参照）、この緑フィルタラインの重なったエリアにおける光がＭＬＤシステムを透過して、相対的に明るい緑の区画を生み出す。緑フィルタが例えば赤フィルタと重なる（又は青フィルタが赤フィルタの上にある）と、それほど多くない光が透過して、暗い領域を生み出すだろう（例えば、図３の左端における緑の細片を取り囲む暗い領域を参照）。背面及び前面のディスプレイ又は表示レイヤは網膜上に投射された時に僅かに異なるサイズを有するので、ピクセルは同位相から逆位相へゆっくりと変化するだろう。このことは、別名モアレ干渉として知られる明暗の帯を生み出す効果を有する。
【００２２】
[0039]  この発明の実施態様は、モアレ干渉を低減又は除去するために、異なる平面上に積層された関係で提供された第１及び第２ディスプレイが異なる色フィルタ及び／又はピクセルパターンを有するＭＬＤシステムを提供することによって、この問題を処理し解決する。
【００２３】
[0040]  図４−６は、モアレ干渉が（図３と比較して）相対的に低減又は消失し、離れて見た時に色がほぼ白（例えば灰色）になる、この発明の一実施態様を示す。
【００２４】
[0041]  図４Ａは、色マスクの回転を有するＭＬＤの第１ＬＣＤを示す。ピクセルエリアが図４Ａにおいて強調され、行及び列の両方の方向に繰り返されたＲ―Ｇ―Ｂブロックを示す。図示されるように、赤、緑、及び青のフィルタを図１−２におけるような垂直なストライプパターンに配列する代わりに、サブピクセルが回転させられて、次いで、図４Ａにおける各行について１ピクセル分オフセットすることによってディザされる。図４Ｂは、回転及びディザされた、図４Ａにおいて強調されたピクセルエリアの概略図である。図示されるように、赤、緑、及び青の下り階段状のストライプが、垂直方向と水平方向の間になるように傾けられている。例えば、赤のストライプは、左上から右下へ段々に下がっている。これは青及び緑のストライプに対しても同様である。換言すれば、赤、緑、及び青で色付けられたストライプは各々、図４Ａ−４Ｂのディスプレイにおいて左上から右下へ斜めに配列されるのであり、垂直方向、水平方向、又は左下から右上への方向に配置されるのではない。図４Ａ−４Ｂのディスプレイは、この発明の例示的な実施態様によるＭＬＤシステムにおける図５のディスプレイと、当該ＭＬＤにおいて重なり合うように組み合わされるものである。
【００２５】
[0042]  図５は、Ｒ―Ｇ―Ｂ垂直ライン配列のＬＣＤパネルを示す。図５における赤、緑、及び青の色フィルタラインは垂直方向に配列されて示されているが、代替的に、水平方向に配列されてもよい。図５の左側から始めて、色フィルタのストライプがＲＧＢの順の垂直ラインに配列され、この順番が図５を横切って左から右へ向けて何度も繰り返している。重要なことに、図５のＬＣＤの色フィルタ配列は、図４のＬＣＤのそれとは異なっている。図５のＬＣＤは垂直の色ストライプに配列された色フィルタの色を有するのに対し、図４のＬＣＤは斜めの色ストライプに配列された色フィルタの色を有する。図５の繰り返しパターンは、Ｒ―Ｇ―Ｂ、Ｒ―Ｂ―Ｇ、又は任意の他の組み合わせであってよい。
【００２６】
[0043]  図４に示されるディスプレイは、モアレ干渉を低減又は除去するために、図５に示されるディスプレイと混合されることが可能である。図６は、この発明の例示的な実施態様によるモアレ干渉を低減又は実質的に除去するために、互いの上に重なり合うようにして積層された図４及び５のＬＣＤを含むＭＬＤシステムの平面図である。図６は、図４及び５の重なり合うパターンの混合を示す。斜めに色付けされたストライプを有する図４のパターンが、垂直に色付けされたストライプを有する図５のパターンの上に重なる。例えば、図４のＬＣＤは図１６のＭＬＤに示される表示レイヤ１であってよく、図５のＬＣＤは図１６のＭＬＤにおける表示レイヤ２であってよい（又はその逆）。図示されるように、モアレ干渉が低減され又は消失しており、図６のＭＬＤの色は、離れて見た時に白（例えば明灰色）になるだろう。例えば、図６の強調されたブロックにおいて、Ｒ―Ｇ―Ｂの個々の列は一貫性のある繰り返しパターンで現れている。
【００２７】
[0044]  この発明の別の例示的な実施態様において、多数のマイクロレンズからなる回折光学素子（ｄｉｆｆｒａｃｔｉｖｅ  ｏｐｔｉｃａｌ  ｅｌｅｍｅｎｔ；ＤＯＥ）又は屈折ビーム写像器（ｒｅｆｒａｃｔｉｖｅ  ｂｅａｍ  ｍａｐｐｅｒ；ＲＢＭ）などのビーム写像素子が、モアレ干渉を低減／除去するために、背面ＬＣＤの上面を含む及び前面ＬＣＤの上面より上を含む領域内のどこかに配置されることができる。この手法は、本明細書において説明されるこの発明の任意の他の実施態様と組み合わせて用いられることができる。屈折マイクロレンズの各々は、後方ＬＣＤからの入射光線を、各光線が擬似ランダム写像に従って前面ＬＣＤの異なるサブピクセルを通る規定の経路で観察者の方へ向かわせるように構成される。擬似ランダム写像は、余分なモアレ効果を招来しないようにするために提供される。これらの個々のビームの開度は、背面ＬＣＤ上の任意の点が直線から１ピクセルの距離以上逸らされないように制限される。理想的な解決策は、上部ＬＣＤに素子を積層し、２つのＬＣＤ間の媒体を非複屈折材料で光学的にマッチングさせることである。しかしながら、屈折ビーム写像器は、ＬＣＤ積層体の中のどこにでも配置されることが可能である。
【００２８】
[0045]  別の実施態様において、モアレ干渉を低減／除去するために、赤及び青のサブピクセルを緑のサブピクセル上に向けさせる又は圧縮する多層光学素子を構成するサブピクセル圧縮法を用いることが可能である。これは、背面の色フィルタパターンを、表示レイヤ間における色フィルタの相互作用を排除する１つの白い細片に変化させる。ここでも、この手法は、本明細書において説明されるこの発明の任意の他の実施態様と組み合わせて用いられることができる。別の実施態様において、屈折ビーム写像器は、この色圧縮器と組み合わされることが可能である。圧縮と拡張の組み合わせは、解像度を低下させることなく背面ＬＣＤから色構造を効果的に取り除く。これはモアレ除去に対する別の解決策を提供する。
【００２９】
[0046]  この発明の他の例示的な実施態様が図７−１５に関連して示されている。図１５のディスプレイは、赤（Ｒ）、緑（Ｇ）、及び青（Ｂ）に色付けされたピクセルに加えて白（Ｗ）に色付けされたピクセルを含むことが留意される。シアンのピクセルも可能である。この発明の例示的な実施態様によれば、図７−１５のいずれかに示されるディスプレイのうちのいずれかの色フィルタ／ピクセルパターンが、ＭＬＤシステムの第１ディスプレイ（背面又は前面）として、ＭＬＤシステムの第２ディスプレイ（背面又は前面の他方）としての図１−１５のいずれかに示される他のディスプレイのうちのいずれかの色フィルタ／ピクセルパターンと共に用いられることができる。例えば、この発明の例示的な実施態様によるＭＬＤにおいて、図９のＬＣＤが、図１−２、４、５、７−８、１０−１２、又は１４−１５のいずれかに示されるような色フィルタ／ピクセルパターンを有する第２ディスプレイ（例えば図１６における表示レイヤ２）の上に重なる第１ディスプレイ（例えば図１６における表示レイヤ１）であってよい。別の例として、この発明の例示的な実施態様によるＭＬＤにおいて、図１０のＬＣＤが、図１−２、４、５、７−９、１１−１２、又は１４−１５のいずれかに示されるような色フィルタ／ピクセルパターンを有する第２ディスプレイ（例えば図１６における表示レイヤ２）の上に重なる第１ディスプレイ（例えば図１６における表示レイヤ１）であってよい。別の例として、この発明の例示的な実施態様によるＭＬＤにおいて、図１１のＬＣＤが、図１−２、４、５、７−１０、１２、又は１４−１５のいずれかに示されるような色フィルタ／ピクセルパターンを有する第２ディスプレイ（例えば図１６における表示レイヤ２）の上に重なる第１ディスプレイ（例えば図１６における表示レイヤ１）であってよい。別の例として、この発明の例示的な実施態様によるＭＬＤにおいて、図１２のＬＣＤが、図１−２、４、５、７−１１、又は１４−１５のいずれかに示されるような色フィルタ／ピクセルパターンを有する第２ディスプレイ（例えば図１６における表示レイヤ２）の上に重なる第１ディスプレイ（例えば図１６における表示レイヤ１）であってよい。別の例として、この発明の例示的な実施態様によるＭＬＤにおいて、図１４の左側のＬＣＤが、図１−２、４、５、７−１２、又は図１４の右側のいずれかに示されるような色フィルタ／ピクセルパターンを有する第２ディスプレイ（例えば図１６における表示レイヤ２）の上に重なる第１ディスプレイ（例えば図１６における表示レイヤ１）であってよい。別の例として、この発明の例示的な実施態様によるＭＬＤにおいて、図１５の左側のＬＣＤが、図１−２、４、５、７−１２、又は１５の右側のいずれかに示されるような色フィルタ／ピクセルパターンを有する第２ディスプレイ（例えば図１６における表示レイヤ２）の上に重なる第１ディスプレイ（例えば図１６における表示レイヤ１）であってよい。ＭＬＤの異なるディスプレイ（例えばＬＣＤ、ＯＬＥＤ等）におけるこのような似ていない色フィルタ／ピクセルパターンの使用は、本明細書において説明される理由のため、ＭＬＤにおけるモアレ干渉を低減又は除去するよう���機能する。
【００３０】
[0047]  図７は、ＭＬＤの第１ディスプレイ（背面又は前面）のピクセル／色フィルタパターンを図の左側に示し、ＭＬＤの第２ディスプレイ（背面又は前面の他方）の異なるピクセル／色フィルタパターンを図の右側に示す。よって、図７は、図１６に示される如く積層して重なり合うように一緒に用いられることができるＭＬＤの前面及び背面ディスプレイのための似ていないピクセルパターンを示す。図７に示されるように、ややランダム化されたパターンが左手側に示され、ストライプ状のパターンが右手側に示されている。例示的な一実施態様において、左手側のパターンにおけるどの２つの行又は列も、所与のエリアにおいて同一ではない。図７の左側におけるディスプレイ（例えばＬＣＤ）のパターンは、とりわけ、左上から右下へ斜めに配向された緑に色付けされたフィルタラインと、ディスプレイ全体にわたって三角形パターンに配向された青及び赤のピクセル／フィルタを有する。一方、図７の右側におけるディスプレイ（例えばＬＣＤ）のパターンは、垂直方向に配向された赤、緑、及び青に色付けされたフィルタラインを有し（代替的に、それらは水平方向に配列されることが可能であろう）、その結果、図７の左側におけるパターンとは非常に異なっている。この発明の例示的な実施態様によれば、図７のディスプレイの一方は前面ディスプレイ（例えば図１６における表示レイヤ１）であり、図７のディスプレイの他方は背面ディスプレイ（例えば図１６における表示レイヤ２）である。前面ディスプレイ上のピクセルと干渉する局所的な規則的パターンが最背面のディスプレイ上に全く存在しないので、実質的に少しもモアレ干渉は形成されない。このように、図７の実施態様による似ていないピクセルパターンを組み合わせることで、モアレ干渉が回避又は低減される。２つの同一方向のストライプパターンが組み合わされる場合、レイヤ間にモアレ干渉が形成される。しかしながら、図７のランダム化されたパターンとストライプ状のパターンがＭＬＤのディスプレイ又は表示レイヤとして組み合わされる場合、大スケールのどんなモアレ干渉も低減又は除去される。
【００３１】
[0048]  例示的な一実施態様において、ＭＬＤは全体として、色付けされたサブピクセルのストライプを含んでいる。もし色付けされたストライプが（即ち単にサブピクセルそのものではなく）（例えば４５度、３０度、６０度等）回転させられると、干渉が除去される。ある例示的な実施態様において、第１ディスプレイの色付けされたストライプは、モアレ干渉をこの発明の例示的な実施態様において低減又は除去するために、ＭＬＤの第２ディスプレイの色付けされたストライプからおよそ３０−９０度傾かせることができる。
【００３２】
[0049]  本明細書におけるディスプレイ又は表示レイヤは、ＬＣＤ、ＯＬＥＤ等であってよい。ねじれネマティック（ＴＮ）ＬＣＤは、正方形が赤、緑、及び青のサブピクセルを有する水平方向に並んだ３つの部分に分割されるといったような、極めて一般的なピクセルレイアウトに従うのであってよい。サブピクセルは、水平及び垂直方向においてブラックマスクによって分離されることができる。サブピクセルの角には、駆動トランジスタを覆う矩形突出部がしばしば存在する。最新のデスクトップモニタ及びテレビに要求される広い画面視野並びに時間的性能を可能にする、数種類の異なるピクセル技術がある。本発明の実施態様は、バックプレーンが基本的なＲＧＢストライプのピクセルレイアウトに従うように構成されるので、これらのＬＣＤの全てと互換的である。よって、各ピクセルのために要求されるバックプレーンのレイアウトは変更する必要がなく、色フィルタのマスクレイアウトだけである。例えば、製造者によるピクセルの種類は、パナソニック（ＩＰＳ  Ｐｒｏ）、ＬＧディスプレイ（Ｈ−ＩＰＳ及びＰ−ＩＰＳ）、Ｈａｎｎｓｔａｒｔ（Ｓ−ＩＰＳ）、ＡＵ  Ｏｐｔｒｏｎｉｃｓ（Ａ−ＭＶＡ）、サムスン（ＡＦＦＳ）、Ｓ−ＬＣＤ（Ｓ−ＰＶＡ）、及びシャープ（ＡＳＶ及びＭＶＡ）である。ＩＰＳタイプのＬＣＤ又は他のＬＣＤタイプも用いられることができる。ある実施態様において、両方のディスプレイ若しくは表示レイヤがＯＬＥＤであってよく、又は一方のディスプレイがＯＬＥＤであり他方がＬＣＤであってもよい。ＯＬＥＤでは、それぞれのサブピクセル又はピクセルは（色付けされたフィルタを有するのとは対照的に）赤、緑、及び青の材料で充填されるであろう、ということに留意されたい。
【００３３】
[0050]  ある例示的な実施態様において、＋９０又は−９０のピクセル回転が提供されることができる。これは例えばスマートフォンにおいて用いられるポートレートモードに対応することができる。この配置では、ゲートラインは垂直方向に延在し、行アドレスラインは水平方向に延在することができる。図８に示されるように、配置はＩＰＳのＬＣＤパネルにおいて用いられるようなＢＧＲ配置及びＲＧＢ配置を含む（例えば最上部の素子）。ピクセル間のブラックマトリクスが残るであろうから、回折ビーム分離素子若しくは屈折ビーム写像素子、又は拡散板の適用が例示的な実施態様において用いられることができる。垂直ラインパターンがピクセルの中央に示されている（例えば最上部の素子）。図８の最下部の素子に示されているように、ピクセルの構造は、必要とされる複製距離又は再マッピング距離を小さくするために垂直方向にこれらのライン（例えば補助容量ライン）のより多くが存在するように、変更されることができる。それ故に、コントラスト低下が達成される。これは、回折ビーム分離素子若しくは屈折ビーム写像素子、又は拡散板を用いて実現されることができる。一実施態様において、素子は黒ピクセルにおけるコントラストの低下を最小化するように最適化されるであろう。
【００３４】
[0051]  図８Ａ−８Ｂは、この発明の他の例示的な実施態様によるモアレ干渉を低減又は実質的に除去するために、ＭＬＤシステムの前面及び背面ＬＣＤ上の似ていない色フィルタ／ピクセルパターンを示す。（本明細書における他の実施態様のようにＬＣＤ又はＯＬＥＤに適用可能な）図８Ａ−８Ｂに示される色フィルタパターンは、ＭＬＤの前面若しくは背面ディスプレイのいずれかにおいて、又は両方において用いられることができる。図８Ａ−８Ｂにおける４つの色フィルタ／ピクセルパターンのいずれもが、例えば、この発明の異なる実施態様において図８Ａ−８Ｂにおける他の色フィルタ／ピクセルパターンのいずれかと組み合わせて用いられることができる（例えば、一方は図１６におけるディスプレイ１において、他方は図１６におけるＭＬＤのディスプレイ２において）。
【００３５】
[0052]  図９は、ＭＬＤにおける重なり合う／積層されたディスプレイ（ＬＣＤ又はＯＬＥＤ）の一方又は両方の色フィルタがこの発明の例示的な実施態様に従って１：１ステップ配置でディザされる構成を示す。図９における赤、青、及び緑の色付けされたラインは、上（又は下）から見た時にディスプレイの左上から右下へ延在している。図１０は、ＭＬＤにおける重なり合う／積層されたディスプレイ（ＬＣＤ又はＯＬＥＤ）の一方又は両方の色フィルタがこの発明の実施態様に従って２：１ステップ配置でディザされる構成を示す。図１０では、例えば赤の色フィルタ／エリアは、右へ１列動くと下へ２行下がる（２：１）。同じことが、図１０における緑及び青の色付けされたフィルタ／エリアに当てはまる。図１１は、ＭＬＤにおける重なり合う／積層されたディスプレイ（ＬＣＤ又はＯＬＥＤ）の一方又は両方の色フィルタがこの発明の例示的な実施態様に従って１：２ステップ配置でディザされる構成を示す。図１１では、所与の行は、（任意の色の順番で）２つの青のフィルタ、次に２つの緑のフィルタ、次に２つの赤のフィルタ、次に繰り返しを含み、色付けされたペアは、下へ１行下がると右へ列１セット分動く。図１２は、ＭＬＤにおける重なり合う／積層されたディスプレイ（ＬＣＤ又はＯＬＥＤ）の一方又は両方の色フィルタがこの発明の例示的な実施態様に従って１：３ステップ配置でディザされる構成を示す。図１２では、所与の行は、（任意の色の順番で）３つの青のフィルタ、次に３つの緑のフィルタ、次に３つの赤のフィルタ、次に繰り返しを含み、色付けされたペアは、下へ１行下がると右へ列１セット分動く。ディザのレイアウトは、赤、緑、及び青のフィルタのマスク技術を上述されたパターンに変更することによって形成されることができる。例えば、図９の上記のパターンが、本明細書において論じられるようにモアレ干渉を低減させるために、図１０−１２のパターンのいずれかと共に用いられることが可能である（一方はＭＬＤの前面表示パネルとして、他方は背面表示パネルとして）。別のオプションとして、図９−１２のパターンのいずれかが、本明細書において論じられるようにモアレ干渉を低減させるために、図９−１２のパターンのいずれか他のものと共に用いられることが可能である（一方はＭＬＤの前面表示パネルとして、他方は背面表示パネルとして）。別の例として、図９の上記のパターンが、本明細書において論じられるようにモアレ干渉を低減させるために、本明細書における他のパターンのいずれかと共に用いられることが可能である（一方はＭＬＤの前面表示パネルとして、他方は背面表示パネルとして）。図９−１２のパターンのいずれかが、本明細書において論じられるようにモアレ干渉を低減させるために、本明細書における他のパターンのいずれかと共に用いられることが可能である（一方はＭＬＤの前面表示パネルとして、他方は背面表示パネルとして）。
【００３６】
[0053]  ある例示的な実施態様において、ＭＬＤの一方の表示パネルは可変のオフセット配置のサブピクセルを用いて形作られ、次いでこれが、ｘ又はｙ軸の周りにおよそ１８０度ひっくり返すことによって、他方のパネル（例えば後方パネル）に対して再使用される。そのようなものは、サブピクセルが限定ではなく例えば赤―緑―青又は赤―緑―青―白の配置を有する場合において用いられることができる。例えば図１３の右側を参照されたい。例えば、図１３の左側は、ＭＬＤの両方のディスプレイに対して同一の色フィルタのパターンが用いられ、両方のディスプレイの色フィルタ層が観察者に面するように配置された従来のＭＬＤを示し、この従来のＭＬＤはモアレ干渉を生じさせる。そのようなモアレ干渉を低減するために、この発明のある例示的な実施態様において、前面パネルは、ＭＬＤの観察者の視点から見た時に前面及び背面パネルが異なるピクセル／色フィルタパターンを有するように、ｘ又はｙ軸の周りにひっくり返されることができる。
【００３７】
[0054]  図１４は、この発明の別の例示的な実施態様を示す。第１ディスプレイのピクセル／色フィルタパターンが図１４の左側に示され、ＭＬＤの他のディスプレイのピクセル／色フィルタパターンが図１４の右側に示されている。図１４の左側のＬＣＤは図１６のＭＬＤにおけるディスプレイ又は表示レイヤの一方であってよく、図１４の右側のＬＣＤは図１６のＭＬＤにおけるディスプレイ又は表示レイヤの他方であってよい。ディスプレイの観察者の視点から見た際に、図示された前面レイヤは図示された背面レイヤ上に重ね合わされるであろう。特に、「前面レイヤ」の最左列は「背面レイヤ」の最左列に重なり、及び／又は前面レイヤの最右列は背面レイヤの最右列に重なるであろう。左側のパターン（例えば前面ディスプレイ又は前面表示レイヤ１）において、色付けされたフィルタ／エリアのラインは、Ｒ、Ｇ、及びＢ色に関して左上から右下へ配向されている。一方、図１４の右側のパターン（例えば背面ディスプレイ又は背面表示レイヤ２）において、色付けされたフィルタ／エリアのラインは、Ｒ、Ｇ、及びＢ色に関して右上から左下へ配向されている。このように、異なる表示パネルの色フィルタ／エリアによって形成される色付けされたラインは、少なくともいくつかの事例において互いからおよそ４５−１２０度傾いている。図１４は、ＭＬＤ積層体の観察者の視点からディスプレイを見下ろした場合における、前面レイヤ（図の左列）及び背面レイヤ（図の右列）上の３つのディザされたＲＧＢサブピクセルの配置を示している。前面レイヤ１と背面レイヤ２が重ね合わされると（例えば図１６を参照）、斜め方向に形成されるストライプパターンは大きな縞状の交差領域を形作らず、したがって、モアレ干渉の外観が低減又は最小化される、ということが理解され得る。
【００３８】
[0055]  図１５は、この発明の別の例示的な実施態様を示す。第１ディスプレイのピクセル／色フィルタパターンが図１５の左側に示され、ＭＬＤの他のディスプレイのピクセル／色フィルタパターンが図１５の右側に示されている。図１５の左側のＬＣＤは図１６のＭＬＤにおけるディスプレイ又は表示レイヤの一方であってよく、図１５の右側のＬＣＤは図１６のＭＬＤにおけるディスプレイ又は表示レイヤの他方であってよい。ディスプレイの観察者の視点から見た際に、図示された前面レイヤは図示された背面レイヤ上に重ね合わされるであろう。特に、「前面レイヤ」の最左列は「背面レイヤ」の最左列に重なり、及び／又は前面レイヤの最右列は背面レイヤの最右列に重なるであろう。左側のパターン（例えば前面ディスプレイ又は前面表示レイヤ１）において、色付けされたフィルタ／エリアのラインは、Ｒ、Ｇ、Ｂ、及びＷ色に関して左上から右下へ配向されている。一方、図１５の右側のパターン（例えば背面ディスプレイ又は背面表示レイヤ２）において、色付けされたフィルタ／エリアのラインは、Ｒ、Ｇ、Ｂ、及びＷ色に関して右上から左下へ配向されている。このように、異なる表示パネルの色フィルタ／エリアによって形成される色付けされたラインは、少なくともいくつかの事例において互いからおよそ４５−１２０度傾いている。図１５は、ＭＬＤ積層体の観察者の視点からディスプレイを見下ろした場合における、前面レイヤ（図の左列）及び背面レイヤ（図の右列）上の３つのディザされたＲＧＢＷサブピクセルの配置を示している。前面レイヤ１と背面レイヤ２が重ね合わされると（例えば図１６を参照）、斜め方向に形成される重なり合うストライプパターンは大きな縞状の交差領域を形作らず、したがって、モアレ干渉の外観が低減又は最小化される、ということが理解され得る。
【００３９】
[0056]  図１６は、この発明の例示的な実施態様によるＭＬＤを示し、図１−１５のいずれかの積層された重なり合うレイヤ／ディスプレイが提供されることができる。ＭＬＤの第１ディスプレイ又は表示レイヤは要素１（又は２）であってよく、ＭＬＤの第２ディスプレイ又は表示レイヤは要素２（又は１）であってよい。図１６は、上から見た時に、積層された表示パネル１、２（例えばＬＣＤ又はＯＬＥＤ）が互いに対して回転させられることができる、あるいはまた異なるピクセル／色付けされたエリアのパターンを有することができる一例を示している。ディスプレイ又は表示レイヤ２はＭＬＤのバックライトに最近接しており、バックライトシステムに面するそのバックプレーンが、行ドライバ、列ドライバ、トランジスタ、及び蓄積容量ラインを通ってバックライト内に入っていく光を再利用するようにさせることが望ましいだろう。図に示されるように、２つの偏光子の配置が用いられることができ、空気、又は望まれる場合にはディスプレイの黒状態を維持するように設計された複屈折性を有する材料を含むように、ギャップが構成されることができる。ギャップは、内部反射及び／又は偏光解消効果を低減するために、ガラス又はいずれかの側の層によく整合した屈折率を有する材料を含むことができる。前面ディスプレイ又は表示レイヤ１については、そのバックプレーンは、ディスプレイ又は表示レイヤ２のそれとは反対に配向されることができる。特に、前面ディスプレイ１については、そのバックプレーンは、内部反射を低減するために観察者に面するように配向されることができる。このように、それぞれのディスプレイ１及び２の色フィルタ層（その各々は１又は複数の層から構成されることができる）は互いに向き合い、いずれかのディスプレイからのどの液晶層も第１及び第２ディスプレイの色フィルタ層の間には配置されない、ということが図１６において理解されることが可能である。ある例示的な実施態様において、環境光の外部反射を低減するために、４分の１波長位相差板と反射防止偏光子から構成される図１６に示されるような反射防止システムが提供されることができ、それにより、通常は反射される環境光は、ＡＲ偏光子を通る１回目の通過において４分の１波長回転を受け、バックプレーン要素によって反射され、４分の１波長位相差板を通って２回目の回転を受けるであろう。光がこの２回目の回転を経験する時までに、光はＡＲ偏光子の透過軸に対して実質的に直交し、したがって実質的に吸収されるだろう。更に、ブラックマスク（ＢＭ）又は他の非反射性材料が、反射を低減させるためにディスプレイの導電性トレースの背後に付加されてもよい。更に、この発明のある例示的な実施態様において、反射防止（ＡＲ）コーティングが内部表面に適用されてもよい。
【００４０】
[0057]  上記の開示は特定のブロック図、フローチャート、及び例を用いて様々な実施態様を記載しているが、本明細書において説明及び／又は例示される各ブロック図要素、フローチャートのステップ、動作、及び／又は要素は、広範なハードウェア、ソフトウェア、又はファームウェア（若しくはそれらの任意の組み合わせ）構成を用いて、個別的に及び／又は集合的に実装されることができる。加えて、同一の機能を達成するために他の多くの設計が実装されることが可能であるので、他の構成要素の中に含まれている構成要素のいかなる開示も例とみなされるべきである。
【００４１】
[0058]  本明細書において説明及び／又は例示される処理のパラメータ及びステップの順番は、例としてのみ与えられており、望まれるように変更されることが可能である。例えば、本明細書において例示及び／又は説明されるステップは特定の順序で示され又は論じられるかもしれないが、これらのステップは、必ずしも例示され又は論じられた順序で実施される必要はない。本明細書において説明及び／又は例示される様々な例示的な方法は、本明細書において説明若しくは例示されたステップのうちの１又は複数を省略し、又は開示されたものに加えて付加的なステップを含むこともできる。
【００４２】
[0059]  様々な実施態様が完全に機能的なコンピューティングシステムの文脈で本明細書において説明及び／又は例示されているが、これらの例示的な実施態様のうちの１又は複数は、配布を実際に実行するのに用いられるコンピュータ可読媒体の特定の種類にかかわらず、様々な形式のプログラム製品として配布されることができる。本明細書において開示される実施態様はまた、あるタスクを実施するソフトウェアモジュールを用いて実装されることもできる。これらのソフトウェアモジュールは、スクリプト、バッチ、又はコンピュータ可読記憶媒体上に若しくはコンピューティングシステム内に格納されることができる他の実行可能ファイルを含むことができる。これらのソフトウェアモジュールは、本明細書において開示される例示的な実施態様のうちの１又は複数を実施するようにコンピューティングシステムを構成することができる。本明細書において開示される様々な機能は、リモートデスクトップ環境又は任意の他のクラウド型コンピューティング環境を通じて提供されることができる。
【００４３】
[0060]  上記の記載は、説明の目的のために、特定の実施態様を参照して記載されている。しかしながら、上記の説明的な議論は、網羅的であるようにも、開示された正確な形に発明を限定するようにも意図されていない。上記の教示に鑑み、多くの改変及び変形が可能である。実施態様は、本発明の原理及びその実用的な応用を最も良く説明し、それによって当業者が、本発明、及び予期される特定の使用に適しているであろう様々な改変を有する様々な実施態様を最も良く活用することを可能とするために、選択並びに説明されたのである。
【００４４】
[0061]  そのうえ、本出願の範囲は、明細書において説明される処理、機械、製造品、組成物、手段、方法、及びステップの特定の実施態様に限定されるようには意図されていない。当業者は本発明の開示から容易に理解するだろうから、本明細書において説明される対応する実施態様と実質的に同じ機能を実施し又は実質的に同じ結果を達成する、現在存在し若しくは後で開発される処理、機械、製造品、組成物、手段、方法、又はステップが、本発明にしたがって利用されることができる。したがって、添付されたクレームは、その範囲の中に、そのような処理、機械、製造品、組成物、手段、方法、又はステップを含むように意図される。
【００４５】
[0062]  この発明のある例示的な実施態様において、第１画像を表示するための、第１平面内にある第１ディスプレイと、第２画像を表示するための、第２平面内にある第２ディスプレイと、を備えるディスプレイ装置であって、前記第１及び第２平面は互いにほぼ平行であり、前記第１及び第２ディスプレイは、モアレ干渉を低減するために、前記ディスプレイ装置の観察者の視点から見た時に、異なる色フィルタパターンをそれぞれ有する、ディスプレイ装置が提供される。
【００４６】
[0063]  直前に先行する段落のディスプレイ装置において、前記第１ディスプレイにおける緑の色フィルタは第１方向のラインに配向され、前記第２ディスプレイにおける緑の色フィルタは第２方向のラインに配向され、前記第１及び第２の緑の色の方向は互いに異なるのであってよい。前記第１及び第２の緑の色の方向は、およそ３０−９０度だけ互いから傾けられているのであってよい。
【００４７】
[0064]  先行する２つの段落のいずれかのディスプレイ装置において、前記第１ディスプレイにおける赤の色フィルタは第１方向のラインに配向され、前記第２ディスプレイにおける赤の色フィルタは第２方向のラインに配向され、前記第１及び第２の赤の色の方向は互いに異なるのであってよい。前記第１及び第２の赤の色の方向は、およそ３０−９０度だけ互いから傾けられているのであってよい。
【００４８】
[0065]  先行する３つの段落のいずれかのディスプレイ装置において、前記第１ディスプレイにおける青の色フィルタは第１方向のラインに配向され、前記第２ディスプレイにおける青の色フィルタは第２方向のラインに配向され、前記第１及び第２の青の色の方向は互いに異なるのであってよい。前記第１及び第２の青の色の方向は、およそ３０−９０度だけ互いから傾けられているのであってよい。そのうえ、赤、緑、及び青の色の方向は、互いに全て平行又は実質的に平行であってよい。
【００４９】
[0066]  先行する４つの段落のいずれかのディスプレイ装置において、前記第１ディスプレイにおいて、赤、緑、及び青の色フィルタのうちの少なくとも１つが斜め方向において色付けされたラインを形成するのであってよく、前記第２ディスプレイにおいて、赤、緑、及び青の色フィルタは斜め方向ではなく垂直又は水平方向においてそれぞれ赤、緑、及び青のラインを形成するのであってよい。
【００５０】
[0067]  先行する５つの段落のいずれかのディスプレイ装置において、前記第１ディスプレイにおいて、赤、緑、及び青の色フィルタは斜め方向においてそれぞれ赤、緑、及び青のラインを形成するのであってよく、前記第２ディスプレイにおいて、赤、緑、及び青の色フィルタは斜め方向ではなく垂直又は水平方向においてそれぞれ赤、緑、及び青のラインを形成するのであってよい。
【００５１】
[0068]  先行する６つの段落のいずれかのディスプレイ装置において、前記第１及び第２ディスプレイの少なくとも一方における色フィルタはディザされているのであってよい。
【００５２】
[0069]  先行する７つの段落のいずれかのディスプレイ装置において、前記第１及び第２ディスプレイの各々は、複数の異なるディザされたパターンに配列された色フィルタを備えるのであってよい。
【００５３】
[0070]  先行する８つの段落のいずれかのディスプレイ装置において、前記第１及び第２ディスプレイは液晶ディスプレイ又はＯＬＥＤを備えるのであってよい。
【００５４】
[0071]  先行する９つの段落のいずれかのディスプレイ装置において、前記第１ディスプレイは前面ディスプレイ又は背面ディスプレイを備えるのであってよい。
【００５５】
[0072]  先行する１０の段落のいずれかのディスプレイ装置において、反射を低減及び／又は防止するためにブラックマトリクスが前記ディスプレイの少なくとも一方における金属パターンの背後に提供されているのであってよい。
【００５６】
[0073]  先行する１１の段落のいずれかのディスプレイ装置において、前記第１及び第２ディスプレイは、各々が液晶層を備える液晶ディスプレイであり、前記第１液晶ディスプレイは、色フィルタを備えた色フィルタ層を備え、前記第２液晶ディスプレイは、色フィルタを備えた色フィルタ層を備え、前記第１及び第２液晶ディスプレイの前記色フィルタ層は、前記ディスプレイ装置における前記第１及び第２液晶ディスプレイの前記色フィルタ層の間に液晶層が配置されないように、互いに向かい合っているのであってよい。
【００５７】
本開示による実施態様がこうして説明された。本開示は特定の実施態様において説明されたが、本開示はそのような実施態様によって限定されるものと解されるべきではない、ということが理解されるべきである。
【図１】
2019502962.tif 000003
【図２】
2019502962.tif 000004
【図３】
2019502962.tif 000005
【図４Ａ】
2019502962.tif 000006
【図４Ｂ】
2019502962.tif 000007
【図５】
2019502962.tif 000008
【図６】
2019502962.tif 000009
【図７】
2019502962.tif 000010
【図８Ａ】
2019502962.tif 000011
【図８Ｂ】
2019502962.tif 000012
【図９】
2019502962.tif 000013
【図１０】
2019502962.tif 000014
【図１１】
2019502962.tif 000015
【図１２】
2019502962.tif 000016
【図１３】
2019502962.tif 000017
【図１４】
2019502962.tif 000018
【図１５】
2019502962.tif 000019
【図１６】
2019502962.tif 000020
【国際調査報告】
2019502962.tif 000021
2019502962.tif 000022